(57)【特許請求の範囲】
【請求項１】
１列に並んだ複数の灯具を有するランプホルダと、このランプホルダを着脱可能に挿着する空間を形成した凹部を有し前記ランプホルダの挿着状態で前記灯具に対応した窓を側面に有する器具本体と、前記ランプホルダの前記灯具の並び方向の一端側に、前記ランプホルダに対して離間可能に第１のねじにより連結されて前記凹部の開口を閉じる蓋と、前記第１のねじに通され前記蓋と前記ランプホルダとの間に介在されて前記ランプホルダを前記凹部の底部に当接した状態で前記蓋を前記開口に閉じたときに圧縮されるコイルばねと、前記蓋を前記開口に閉じた状態に前記蓋を前記器具本体に連結する第２のねじとを備えた照明器具。
【発明の詳細な説明】
【０００１】
【産業上の利用分野】
この発明は、街路灯等の照明器具に関するものである。
【０００２】
【従来の技術】
従来の街路灯は、灯具数が１個の場合と、複数の灯具を並べたものがあった。
【０００３】
【発明が解決しようとする課題】
しかし、複数の灯具を並べたものは、ランプ交換が容易にできるように、大きなランプ交換用窓が必要となったため、デザイン性が損なわれるという欠点があった。
したがって、この発明の目的は、デザイン性を損なうことなく、複数のランプの交換が容易な照明器具を提供することである。
【０００４】
【課題を解決するための手段】
この発明の照明器具は、１列に並んだ複数の灯具を有するランプホルダと、このランプホルダを着脱可能に挿着する空間を形成した凹部を有し前記ランプホルダの挿着状態で前記灯具に対応した窓を側面に有する器具本体と、前記ランプホルダの前記灯具の並び方向の一端側に、前記ランプホルダに対して離間可能に第１のねじにより連結されて前記凹部の開口を閉じる蓋と、前記第１のねじに通され前記蓋と前記ランプホルダとの間に介在されて前記ランプホルダを前記凹部の底部に当接した状態で前記蓋を前記開口に閉じたときに圧縮されるコイルばねと、前記蓋を前記開口に閉じた状態に前記蓋を前記器具本体に連結する第２のねじとを備えたものである。
【０００５】
【作用】
この発明の構成によれば、各灯具を点灯すると、灯具に対応した器具本体の各窓から外部に照明が得られる。この場合、ランプホルダを器具本体の凹部に挿着し、蓋で開口を閉じることにより組立られるため、組立が容易である。また蓋を開けてランプホルダを器具本体から引き出すことにより全ての灯具のランプ交換が一度に行なえるので、ランプ交換が容易にできる。しかも灯具に対応して器具本体に窓を形成すればよく、従来のようにランプ交換用の大きな窓を考慮する必要がないのでデザイン性が損なわれない。
【０００６】
【実施例】
この発明の第１の実施例を図１ないし図５により説明する。すなわち、この照明器具は、ポールに取付けられるもので、ランプホルダ１と、器具本体２とを有する。
ランプホルダ１は、１列に並んだ複数の灯具３を有するとともに灯具３の並び方向の一端側に蓋４を有する。実施例のランプホルダ１は、図２に示すように、２本の支柱７と、支柱７に対角位置が取付けられた４枚の角形すなわち実施例では正方形の取付板８と、支柱７に溶接により取付けられた配線パイプ９，１０からなる。また灯具３は、取付板８にねじ１２により取付けられる略逆Ｕ字形に折曲されたソケット台１１と、ソケット台１１の上端部に取付けられて片口金蛍光ランプ１４が装着されるランプソケット１３と、ソケット台１１の裏面に取付けられる安定器１５およびＴＥＳ１６とを有し、電源線１７が配線パイプ９，１０を通して下端部に導かれる。さらに蓋４は、最上端の取付板８に形成した孔１８を通して下側からねじ１９が通され、ねじ１９に上側からコイルばね２０が通され、コイルばね２０を圧縮した状態でねじ１９の先端が蓋４の裏面のねじ孔２１にねじ込められる。したがって、蓋４はコイルばね２０により取付板８から離れる方向に付勢されるとともに、裏面の周縁にリング状の防水パッキン３６が介在されている。また蓋４にねじ２３が４箇所に回転自在に取付けられている。さらに最下位の取付板８には位置決め孔２４とケーブル挿通孔２５が形成され、ケーブル挿通孔２５にブッシング２６が設けられてアース線を有するケーブル２７を貫通し、このケーブル２７は図５に示すように、ランプ交換のための余裕の長さを持たせ、ポール３１内にたるませている。
【０００７】
器具本体２は、ランプホルダ１を着脱可能に挿着する凹部１ａを有し、蓋４により閉じられる開口５を凹部１ａに有するとともに、ランプホルダ１の挿着状態で灯具３に対応した窓６を側面に有する。実施例の器具本体２は、ポール３１の上端部に嵌着し上端縁に係止する係止部３２を有する取付台３０と、アルミニウムの押出成形により角形に形成されて側面に複数の窓６を形成するとともに取付台３０に積み重ねられて上端に開口５を形成するとともに内部に凹部１ａを形成する３個の枠３３とからなり、枠３３の相互間および枠３３と取付台３０との間には防水パッキン３４が介在されるとともに、連結ねじ３７により相互に連結されている。各枠３３の側部の窓６の穴の周縁部には、内面に白フロスト印刷された強化ガラス３８の周縁部が当接され、各枠３３の四側面の隣接する強化ガラス３８が枠３３の側部コーナにおいて押え部材３９により押え固定され、押え部材３９はねじ４０により枠３３に固定している。４１は窓６の防水パッキン、４２は水抜き用溝４３に形成した水抜き穴、４６はランプホルダ１の下端部に形成した位置決め孔２４に嵌合する位置決め突起、４７はランプホルダ１の下端の取付板８に密着する防水パッキンである。
【０００８】
ポール３１は図５に示すように所定の高さをもっているが、器具本体２の取付台３１をポール３１の上端部に嵌着させる支持部５０を上端部に有し、ポール３１の内部より取付ねじ４４によりポール３１に固定される。またポール３１の内部の上端よりも下方の位置にスイッチ４５が配置され、ケーブル２７の下端部が接続され、スイッチ４５に接続される電源線（図示せず）はポール３１の下端部より外部に引き出される。
【０００９】
ランプホルダ１は器具本体２の上端部の開口５から挿入され、位置決め孔２４が位置突起４６に嵌合することにより器具本体２の下端部の取付台３０に載置され、蓋４をコイルばね２０に抗して押し、取付ねじ２３を器具本体２の上面に形成したねじ孔４８に螺合することによりコイルばねを圧縮した状態で固定するとともに防水パッキン３６が枠３３の上端面に密着する。この取付状態で３個の灯具３の各ランプ１４が３個の枠３３の各窓６と同じ高さになるように寸法設定されている。またこの状態でランプホルダ１はコイルばね２０のばね力により取付台３０に押え固定され、下端部の取付板８が防水パッキン４７に密着する。またケーブル２７は図５に示すようにたるんだ状態でポール３１内に収納されている。したがって、スイッチ４５をオンに制御すると、電源線およびケーブル２７を通して各灯具３に給電され、ランプ１４が点灯し、窓６を通して周囲が照明されることとなる。
【００１０】
一方、ランプ交換の際には、取付ねじ２３を外すとコイルばね２０のばね力により蓋４が器具本体２の開口５より浮出し、器具本体２と蓋４との間に手を挿入することができるので、図３に示すように蓋４を把持して、ランプホルダ１の全体を器具本体２から引出す。このときケーブル２７がたるんでいた状態から延びて器具本体２を貫通する。そして、ランプホルダ１を引出した状態でランプ交換が行なわれる。
【００１１】
この実施例によれば、ランプホルダ１を器具本体２の凹部１ａに挿着し、蓋４で開口５を閉じることにより組立られるため、組立が容易である。また蓋４を開けてランプホルダ１を器具本体２から引き出すことにより全ての灯具３のランプ交換が一度に行なえるので、ランプ交換が容易にできる。しかも灯具３に対応して器具本体２に窓６を形成すればよく、従来のようにランプ交換用の大きな窓６を考慮する必要がないのでデザイン性が損なわれない。
【００１２】
またランプホルダ１を器具本体２に収納し、蓋４を閉じた状態では防水パッキン３４，３６，４１，４７により完全な防水が達成される。さらに、枠３３の防水パッキン３４，４１の内側には水抜き用周溝４３および水抜き穴４２を形成しているため、灯具３に浸水するおそれがなく安全性を確保することができる。
蓋４を取付ねじ２３で締めることにより防水パッキン３６を蓋４と器具本体２との間に密着するとともに、コイルばね２０でランプホルダ１を防水パッキン４７に押し付けるため、完全な防水を達成できるとともに、コイルばね２０を圧縮するのでランプホルダ１の固定が確実にでき、しかも取付ねじ２３をねじ孔４８から外すことにより、コイルばね２０の作用で蓋４が上方に浮き上がるので蓋４を確実に把持することができ、ランプホルダ１の取出し作業を安全かつ簡単にできる。
【００１３】
また支柱７および配線パイプ９，１０を角形の取付板８のコーナに配しているため、窓６に支柱７および配線パイプ９，１０の影がでない。
この発明の第２の実施例を図６および図７に示す。すなわち、この照明器具は、第１の実施例の灯具が３段であったのに対して、灯具が２段の場合であり、その他は第１の実施例と同様であるので、共通の箇所に同一符号を付している。
【００１４】
【発明の効果】
この発明の照明器具は、ランプホルダを器具本体の凹部に挿着し、蓋で開口を閉じることにより組立られるため、組立が容易である。また蓋を開けてランプホルダを器具本体から引き出すことにより全ての灯具のランプ交換が一度に行なえるので、ランプ交換が容易にできる。しかも灯具に対応して器具本体に窓を形成すればよく、従来のようにランプ交換用の大きな窓を考慮する必要がないのでデザイン性が損なわれないという効果がある。
【図面の簡単な説明】
【図１】この発明の第１の実施例の断面図である。
【図２】そのランプホルダの灯具を外した状態の斜視図である。
【図３】ランプホルダを器具本体から外す過程を示す部分斜視図である。
【図４】器具本体の部分斜視図である。
【図５】照明器具を取付けたポールの概略説明図である。
【図６】第２の実施例の断面図である。
【図７】そのランプホルダの灯具を外した状態の斜視図である。
【符号の説明】
１    ランプホルダ
２    器具本体
３    灯具
４    蓋
５    開口
６    窓
【図１】
0003743010.tif 000002
【図２】
0003743010.tif 000003
【図３】
0003743010.tif 000004
【図４】
0003743010.tif 000005
【図５】
0003743010.tif 000006
【図６】
0003743010.tif 000007
【図７】
0003743010.tif 000008